(57)【特許請求の範囲】
【請求項１】
盤面上に誘導釘及び各種入賞口や役物等が配設された遊技部を有する遊技盤と、一枚のガラスが装着されると共に前記遊技盤に対して開閉自在に支持された額縁状のガラス枠とを有する弾球遊技機であって、
前記ガラス枠が閉じた状態において、前記ガラス枠の裏面側に位置すると共に、略々中央に可変表示装置を設置するための孔部が形成された透光板を設け、該透光板の裏面側に、飾り部材やガイドレール部材が一体的に形成されたことを特徴とする弾球遊技機。
【請求項２】
前記遊技盤面上には、前記透光板が閉じた際に、前記透光板を係止する係止部材が設けられたことを特徴とする請求項１に記載の弾球遊技機。
【請求項３】
前記透光板は、前記遊技盤に対して開閉自在であることを特徴とする請求項１又は請求項２に記載の弾球遊技機。
【請求項４】
前記可変表示装置は、リアプロジェクターであることを特徴とする請求項１乃至請求項３の何れかに記載の弾球遊技機。
【請求項５】
前記透光板は、前記遊技盤に対して着脱自在であることを特徴とする請求項１乃至請求項４の何れかに記載の弾球遊技機。
【請求項６】
前記遊技盤面上には、前記透光板を閉じる際に、前記透光板の位置規制をおこなう位置規制部材が設けられたことを特徴とする請求項１乃至請求項５の何れかに記載の弾球遊技機。
【発明の詳細な説明】
【０００１】
【産業上の利用分野】
この発明は、遊技盤面上の誘導釘等を保護すると共に、部品点数を少なくし、かつ、設計の自由度を広げる弾球遊技機に関するものである。
【０００２】
【従来の技術】
周知のように、パチンコ機等の弾球遊技機には、遊技性を向上させるために、遊技盤上に各種の入賞口や表示装置等が設けてあると共に、各所に球の方向を変える誘導釘や風車が配設されている。
【０００３】
【発明が解決しようとする課題】
しかし、遊技盤を組み立てる場合、最近では自動化が進んでおり、従来の弾球遊技機では、ガイドレールを初期の行程で装着しているため、組立用の工作機械における制約から、例えばサイドランプを取付ける際に、このガイドレールが邪魔になり、このため、サイドランプはガイドレールから一定の距離を設けて取付けなければならなかった。また、弾球遊技機を工場から出荷する際には、ガラス枠にガラスが装着していない状態で出荷しているため、工場出荷時に誘導釘や風車の向きを調整しておいても、パチンコ店まで輸送する間に、誘導釘や風車の向きが変わってしまい、せっかく調整した意味が無くなってしまうという問題が生じていた。
【０００４】
一方、弾球遊技機において、遊技性を更に高めるため、弾球遊技機内で弾球遊技機とは別のゲームをおこなうといった傾向があり、このために、中央に位置する表示装置を大型化、かつ、高精細化にする必要があり、大型のブラウン管（以下ＣＲＴと称す）や液晶表示装置を用いたリアプロジェクターを使用したいという要望もあるが、遊技店では、弾球遊技機を背中合わせにして配置しているため、弾球遊技機の奥行に制限があり、奥行のある大口径のＣＲＴやリアプロジェクターを使用することができなかった。
【０００５】
そこで、前者の問題を解決する手段として、特公昭５５−１０７１号公報では、パチンコ機のガラス枠の背面にガイドレール等を一体的に設けた装飾枠を配置する技術が開示されている。この発明で開示された技術では、サイドランプをガイドレールと接する位置に配設でき、設計時の自由度はかなり向上する。しかし、一方では、遊技店において、ガラス枠にガラスを装着する際に、装飾枠も一緒に装着しなければならず、遊技店の手間が増加すると共に、依然として誘導釘や風車の向きを再調整しなければならないといった問題が生じていた。また、後者の問題を解決するためには、特殊なＣＲＴを用いるということも考えられるが、コストが高くついてしまうため、実用的な解決方法ではなかった。
【０００６】
【課題を解決するための手段】
本発明は上記に鑑みてなされたもので、盤面上に誘導釘及び各種入賞口や役物等が配設された遊技部を有する遊技盤と、一枚のガラスが装着されると共に前記遊技盤に対して開閉自在に支持された額縁状のガラス枠とを有する弾球遊技機であって、前記ガラス枠が閉じた状態において、前記ガラス枠の裏面側に位置すると共に、略々中央に可変表示装置を設置するための孔部が形成された透光板を設け、該透光板の裏面側に、飾り部材やガイドレール部材が一体的に形成されたことを特徴とする。
【０００７】
また、前記遊技盤面上には、前記透光板が閉じた際に、前記透光板を係止する係止部材を設けたり、前記透光板を閉じる際に、前記透光板の位置規制をおこなう位置規制部材を設けてもよいし、前記透光板は、前記遊技盤に対して開閉自在であったり、前記遊技盤に対して着脱自在でよく、前記可変表示装置は、リアプロジェクターであってもよい。
【０００８】
【作用】
かかる本発明における弾球遊技機は、輸送中において遊技盤面上の誘導釘等が保護できると共に、製造に際して部品点数が少なくて済み、かつ、大型の表示装置が使用可能となり、商品企画や設計の自由度が増大する。
【０００９】
【実施例】
以下、本発明の一実施例を図面に従い説明する。
図１は本発明に係わる弾球遊技機１の概略正面図、図２は図１の縦断面図であって、窓部を有した額縁状の前枠１３を外枠１２に対して、ヒンジ部Ｐ、Ｑにより開閉自在に蝶着し、前記前枠１３の前面側には、窓部を有した額縁状の前飾枠１１を開閉自在に軸着し、前記前飾枠１１の下方部分には上受皿２１を設けた上受皿ユニット２を配置すると共に、背面側には一枚のガラス１４ａを装着したガラス枠１４を開閉自在に取り付け、前記前飾枠１１と前記前枠１３を施錠装置１５で施錠可能とする。また、前記前枠１３の窓部には、この窓部を塞ぐように遊技盤５を臨ませる。更に、前記前枠１３の上方部分の前面にはトップランプユニット９を設けると共に、下方部分の前面には、下受皿３１を設けた下受皿ユニット３を設ける。尚、前記下受皿ユニット３の前面側には、球発射装置（図示せず）により、後述する遊技部５２に打ち込む球の飛距離を調整するためのハンドル部３２が設けられている。
【００１０】
一方、前記前枠１３の背面側には、前記遊技盤５を着脱自在に収納する皿枠状の金属板からなるリアプレート１６を添設し、該リアプレート１６の背面側には機構枠セット部材１６ａを蝶着自在に設置する。更に、該機構枠セット部材１６ａには前記遊技盤５の後方略々中央部分を覆うリアカバー１６ｂを形成すると共に、上方部分には賞球を貯留しておく上タンク１７を着脱自在に設け、かつ該上タンク１７と連通して前記上タンク１７の球を賞球払出装置（図示せず）に誘導する下タンク１７ａを設ける。
【００１１】
図３乃至図７は本発明に係わる図であり、図３は遊技盤に対する透光板の装着状態を示す概略正面図、図４は遊技盤及び透光板の概略正面図、図５は図４の左側面図、図６は図４の右側面図、図７（ａ）は遊技盤に対して透光板が閉じる状態を示す概略平面図、図７（ｂ）は遊技盤に対して透光板が閉じた状態を示す要部断面図である。
この実施例における弾球遊技機１は、概略、ガラス枠１４にガラス１４ａを一枚装着すると共に、前記遊技盤５に対して透光性を有する部材からなる透光板６を開閉自在かつ着脱自在となるように構成し、かつ、前記透光板６の裏面側には、ガイドレール部６１や飾り部材６ａ等を一体的に形成すると共に、前記遊技盤５上に前記透光板６を係止する係止部材５４ａ、５４ｂを設けたものである。
【００１２】
前記遊技盤５の表面には、図３乃至図５に示すように左側の片側部にヒンジ受部５２ａ、５２ｂがビス等で止着されていると共に、前記ヒンジ受部５２ａ、５２ｂにその軸部を挿入することにより、後述する透光板６を前記遊技盤５に対して開閉自在かつ着脱自在に軸支するヒンジ軸部６２ａ、６２ｂが、透光板６の裏面に一体的に形成された飾り部材６ａにビス等で止着されている。この際、前記ヒンジ軸部６２ａ、６２ｂの取り付け部分を、前記飾り部材６ａと一体的にアウトサート成型して止着用のビス等を省略する構成にしてもよい。また、前記遊技盤５における止着部分及び前記飾り部材６ａにおける止着部分には、予め取付けの際の位置決めに用いる溝部を設けておき、該溝部によって、前記ヒンジ受部５２ａ、５２ｂ及び前記ヒンジ軸部６２ａ、６２ｂが正確な位置に止着されるように構成してもよい。
【００１３】
透光板６は、例えば、ポリカーボネイト樹脂等といった透光性を有し、かつ、成型性及び対磨耗性に優れた部材で形成されており、図４に示すように前記遊技盤５に対して閉じた状態において、前記遊技盤５を略々覆うような形状をなし、裏面側には、必要に応じて予め塗装されたり、図柄等が印刷されたシール等が貼られた前記飾り部材６ａ及び必要に応じて要部に金属板がインサートされたガイドレール部６１（外ガイドレール６１ａ、内ガイドレール６１ｂ）が一体的に形成されると共に、前記内ガイドレール６１ｂの最下位置にはアウト口６３を一体的に形成する。また、前記ガイドレール部６１の射出部には弾性体からなる舌片状の戻り球防止部材６１ｃを一体的に形成すると共に、前記外ガイドレール６１ａの一端の前記戻り球防止部材６１ｃと相対する部分には、跳ね返りゴム部６５を一体的に形成する。
【００１４】
前記遊技盤５の表面の略々上下端部には、前記透光板６が前記遊技盤５に対して閉じる際に、前記透光板６の上下方向の位置規制をおこなうため、先端部にテーパー部５３ａ′、５３ｂ′を設けた位置規制部材５３ａ、５３ｂを配設し、これにより、前記遊技盤５に対して前記ガイドレール部６１等が正確に位置するように構成している。
【００１５】
更に、図６、図７（ａ）、及び図７（ｂ）に示すように前記遊技盤５の表面における前記ヒンジ受部５２ａ、５２ｂと反対側の側部には、前記透光板６が前記遊技盤５に対して閉じた際に、前記透光板６を係止するように、先端部にテーパー部５４ａ′、５４ｂ′及び係止フック部５４ａ″、５４ｂ″を有する係止部材５４ａ、５４ｂが配設されていると共に、前記係止部材５４ａ、５４ｂと相対する前記飾り部材６ａの要部には、前記係止フック部５４ａ″、５４ｂ″と係合する係合部６４ａ、６４ｂが前記飾り部材６ａと一体的に形成されている。
【００１６】
このような構成により、図７（ａ）のように、前記透光板６は、閉じるに際して、前記位置規制部材５３ａ、５３ｂに設けられた前記テーパー部５３ａ′、５３ｂ′により、前記遊技盤５に対して正確かつ容易に位置規制されると共に、前記透光板６の側縁部分は、前記係止部材５４ａ、５４ｂの先端部を前記テーパー部５４ａ′、５４ｂ′に沿って押し広げながら回動してゆき、図７（ｂ）に示すように、前記透光板６が前記遊技盤５に対して閉じた状態になったとき、前記係止フック部５４ａ″、５４ｂ″は前記係合部６４ａ、６４ｂと係合し、これにより前記透光板６は前記遊技盤５に確実に係止される。
【００１７】
一方、前記透光板６を開きたい場合には、前記係止部材５４ａ、５４ｂの先端部を外側に押し広げることにより、前記係止フック部５４ａ″、５４ｂ″と前記係合部６４ａ、６４ｂとの係合が外れて、前記透光板６は容易に開くことが可能となる。尚、前記透光板６は、前記遊技盤５が弾球遊技機１に装着された状態であっても、前記前飾り枠１１を最大限まで開けば、前記遊技盤５に対して略々９０°まで開くことが可能であり、これにより前記遊技盤５を取り外さなくても誘導釘等の調整をおこなうことができる。
【００１８】
また、前記遊技盤５の表面に前記ガイドレール部６１にて囲まれた遊技部５２を形成し、該遊技部５２内に可変表示装置や変動入賞装置等の各種役物及び始動口や各種入賞具（何れも図示せず）を配置し、最下位置の前記アウト口６３に相当する位置にアウト孔５１を穿設する。更に、前記遊技盤５の上部の左右２個所には、表示灯用の孔部５８ａ、５８ｂを設けると共に、前記飾り部材６ａにおける前記孔部５８ａ、５８ｂに相当する部分には、例えば、着色透光シールを貼着して構成した着色透光部６８ａ、６８ｂが一体的に設けられており、必要に応じて、ダイアカット等の成形がなされている。尚、この実施例では、前記着色透光部６８ａ、６８ｂを前記飾り部材６ａと一体的に形成しているが、別部材からなる着色透光部材による装飾カバーを後から前記飾り部材６ａに装着するような構成であってもかまわない。
【００１９】
図８は本発明に係わる第２の実施例における弾球遊技機の縦断面図、図９はこの実施例における遊技盤に対する透光板の装着状態を示す概略正面図、図１０は遊技盤及び透光板の概略正面図である。尚、先の実施例と同一部材は同一名称にて表現している。
この実施例における弾球遊技機１は、概略、表示装置として大型のＣＲＴ４を用い、しかも前記弾球遊技機１の奥行を最小限にするため、ガラス枠１４にガラス１４ａを一枚装着すると共に、図１０に示すように前記遊技盤５に対して前記透光板６を開閉自在かつ着脱自在となるように構成し、かつ、前記透光板６の裏面側には、ガイドレール部６１や飾り部材６ａ等を一体的に形成すると共に、前記透光板６に前記ＣＲＴ４設置用の孔部６６を設けたものである。
【００２０】
この実施例における弾球遊技機１において、前記ＣＲＴ４は、前面が開放された遮光性の部材からなる匡体４１内に、図８及び図９に示すように管面を前方に向けて収納されている。前記匡体４１は、図８及び図１０に示すように、前記遊技盤５に設けた孔部５５及び前記透光板６に設けた孔部６６を貫通して設置され、かつ、前記遊技盤５に、取り付け部材等を介して支持されている。そして、前記匡体４１の少なくとも前記遊技盤５から突出している部分は、例えば、ポリカーボネイト樹脂等の透光性部材からなる保護カバー４２で覆われ、球が直接前記ＣＲＴ４の管面や前記匡体４１に衝突するのを防止している。尚、前記孔部６６の大きさは、前記透光板６が前記遊技盤５に対して開く際に、前記保護カバー４２と接触しない程度のゆとりをもたせている。また、前記保護カバー４２は、前記透光板６と一体的に形成される構造であってもよい。
【００２１】
このような構成をとることによって、この実施例における弾球遊技機では、表示装置として大型のＣＲＴ４を用いることにより遊技性を高め、しかも、ＣＲＴ４の奥行が最小限となるように構成して、ＣＲＴ４を前記リアカバー１６ｂ内に収納可能とし、運搬の際、ＣＲＴ４を保護すると共に、遊技店において、弾球遊技機を背中合わせにして配置することを可能にする。
【００２２】
図１１は本発明に係わる第３の実施例における弾球遊技機の縦断面図、図１２は図１１の要部拡大図、図１３はこの実施例における透光板に対するリアスクリーンの装着状態を示す側面図、図１４は遊技盤に対する透光板の装着状態を示す概略正面図である。尚、先の実施例と同一部材は同一名称にて表現している。
この実施例における弾球遊技機１は、概略、表示装置としてリアプロジェクター７を用い、しかも弾球遊技機１の奥行を最小限にするため、ガラス枠１４にガラス１４ａを一枚装着すると共に、図１３に示すように前記遊技盤５に対して前記透光板６を開閉自在かつ着脱自在となるように構成し、かつ、前記透光板６の裏面側には、ガイドレール部６１や飾り部材６ａ等を一体的に形成すると共に、前記透光板６に前記リアプロジェクター７のリアスクリーン部７３を設けたものである。
【００２３】
この実施例における弾球遊技機１において、前記リアプロジェクター７は、図１２に示されるように、画像を投影するプロジェクター部７１、前記リアプロジェクター７の奥行が最小限になるように構成された投影光路部７２、前記リアスクリーン部、並びに前記プロジェクター部７１及び前記投影光路部７２を支持し、かつ、外部からの光が前記リアスクリーン部７３のリアスクリーン７３ａに映り込むのを防止する遮光部材からなる匡体部７０で構成されている。
【００２４】
前記プロジェクター部７１には、画像発生手段として、透過型カラー液晶表示器７１ａを使用し、該透過型カラー液晶表示器７１ａの光源として、ハロゲンランプ、球面鏡、コリメーションレンズ、及び赤外線カットフィルターからなる光源部７１ｂが使用される。また、該光源部７１ｂの冷却手段として、前記光源部７１ｂの背面に空冷ファン７１ｄを配置し、更に、前記画像発生手段７１ａで発生した画像を投影する投影レンズ群７１ｃが前記透過型カラー液晶表示器７１ａの前面に配設されている。尚、この実施例では、画像発生手段に透過型カラー液晶表示器を使用しているが、本発明では、これに限定されるものではなく、例えば、小型のＣＲＴ等を用いてもよい。
【００２５】
また、前記投影光路部７２は、前記遊技盤５に設けられた貫通孔部５６を介して前記リアスクリーン部７３に前記プロジェクター部７１からの投影光を投影させる機能を有する。この実施例では、前記投影光路部７２は、前記プロジェクター部７１からの投影光を反射させる第１の反射鏡７２ａ及び第２の反射鏡７２ｂから構成されているが、反射鏡の数は、設計上の都合により任意に設定できる。極論をいえば、弾球遊技機１の奥行に差し支えがなければ、反射鏡は使用しなくてもよい。この際、前記投影レンズ群７１ｃは焦点距離の短い広角レンズ系を用いる必要がある。尚、反射鏡を用いることによって、前記リアスクリーン７３ａに投影される映像は、上下あるいは左右が反転する場合があるので、このような問題が生じた際には、前記プロジェクター部７１において、これを補正するために、予め上下あるいは左右が反転した画像を発生する必要がある。
【００２６】
前記リアスクリーン部７３は、シリカ等の光拡散物質が混入されたアクリル樹脂等の透光性部材からなり、背面から投影された投影光を結像して目で見ることのできる実像に変換するリアスクリーン７３ａと、額縁状の遮光部材からなり、前記リアスクリーン７３ａを保持するスクリーン支持部７３ｂで構成されている。尚、前記スクリーン支持部７３ｂは、図１３に示すように、前記透光板６の前面に設けられた枠状の突出部６７と嵌合するように構成され、かつ、前記突出部６７には、前記スクリーン支持部７３ｂを係止するための突起６７′が複数個所設けられていると共に、該突起６７′と係合する孔部７３ｂ′が前記スクリーン支持部７３ｂの側縁部の要部に複数個所設けられている。
【００２７】
また、前記投影光路部７２の前記遊技盤５に設けた前記貫通孔部５６の位置には、球が前記匡体部７０内に入ることを阻止する例えばポリカーボネイト樹脂等の透光性部材からなる保護パネル５７を前記匡体部７０の窓部を覆うように装着して、前記プロジェクター部７１や前記投影光路部７２の光学部材が破損することを防止している。
【００２８】
このような構成をとることによって、この実施例の弾球遊技機１では、大型のリアスクリーン７３ａを用いることによって遊技性を高め、しかも、ＣＲＴを用いた場合と異なって、球が前記リアスクリーン７３ａの背面も通過が可能であるため、前記遊技部５２内で球の通過できる範囲が広くなり、障害部材等を適宜配置することによって、意外性のある遊技をおこなうことも可能である。また、前記リアプロジェクター７の奥行が最小限になるように構成されているので、前記リアプロジェクター７は前記リアカバー１６ｂ内に収納可能であり、運搬の際、前記リアプロジェクター７を保護すると共に、遊技店において、弾球遊技機を背中合わせにして配置することを可能にする。
【００２９】
以上、本発明を図示の実施例について説明したが、本発明は上記した実施例に限定されるものではなく、特許請求の範囲に記載した構成を変更しない限り適宜に実施できる。
【００３０】
【発明の効果】
以上のように本発明における弾球遊技機は、盤面上に誘導釘及び各種入賞口や役物等が配設された遊技部を有する遊技盤と、一枚のガラスが装着されると共に前記遊技盤に対して開閉自在に支持された額縁状のガラス枠とを有する弾球遊技機であって、前記ガラス枠が閉じた状態において、前記ガラス枠の裏面側に位置すると共に、略々中央に可変表示装置を設置するための孔部が形成された透光板を設け、該透光板の裏面側に、飾り部材やガイドレール部材が一体的に形成されたことを特徴とするので、輸送中において遊技盤面上の誘導釘等が保護できると共に、製造に際して部品点数が少なくて済み、かつ、大型の表示装置が使用可能となり、商品企画や設計の自由度が増大するという効果を有する。
【図面の簡単な説明】
【図１】弾球遊技機の概略正面図である。
【図２】図１の縦断面図である。
【図３】遊技盤に対する透光板の装着状態を示す概略正面図である。
【図４】遊技盤及び透光板の概略正面図である。
【図５】図４の左側面図である。
【図６】図４の右側面図である。
【図７】（ａ）は遊技盤に対して透光板が閉じる状態を示す概略平面図、（ｂ）は遊技盤に対して透光板が閉じた状態を示す要部断面図である。
【図８】弾球遊技機の第２の実施例を示す縦断面図である。
【図９】遊技盤及び透光板の概略正面図である。
【図１０】遊技盤に対する透光板の装着状態を示す概略正面図である。
【図１１】弾球遊技機の第３の実施例を示す縦断面図である。
【図１２】図１１の要部拡大図である。
【図１３】透光板に対するリアスクリーン部の装着状態を示す概略側面図である。
【図１４】遊技盤に対する透光板の装着状態を示す概略正面図である。
【符号の説明】
１        弾球遊技機
４        ＣＲＴ
５        遊技盤
６        透光板
６ａ      飾り部材
７        リアプロジェクター
１４          ガラス枠
１４ａ      ガラス
６１        ガイドレール部
５２ａ、ｂ  ヒンジ受部
５３ａ、ｂ  位置規制部材
５４ａ、ｂ  係止部材
６２ａ、ｂ  ヒンジ軸部
６４ａ、ｂ  係合部
【図１】
0003609492.tif 000002
【図２】
0003609492.tif 000003
【図３】
0003609492.tif 000004
【図４】
0003609492.tif 000005
【図５】
0003609492.tif 000006
【図６】
0003609492.tif 000007
【図７】
0003609492.tif 000008
【図８】
0003609492.tif 000009
【図９】
0003609492.tif 000010
【図１０】
0003609492.tif 000011
【図１１】
0003609492.tif 000012
【図１２】
0003609492.tif 000013
【図１３】
0003609492.tif 000014
【図１４】
0003609492.tif 000015